(57)【特許請求の範囲】
【請求項１】
携帯端末本体の背面側を覆い、該携帯端末本体から工具を用いることなく引き剥がすように開かれる蓋部材を有する携帯端末において、
上記携帯端末本体は、左右一対の側面を有し、
上記蓋部材は、上記携帯端末本体の背面を覆う蓋本体と、上記左右一対の側面の少なくとも背面側をそれぞれ覆う左右一対の側壁とを有し、
上記左右一対の側壁の近傍には、上記左右一対の側面に対して平行に延び、左右内側へ突出した外側鉤部を有する係合爪が形成され、
上記携帯端末本体の左右一対の側面には、左右の上記外側鉤部がそれぞれ係合する左右外側へ突出した内側鉤部を有する左右の被係合爪が形成され、
上記蓋部材における左右一対の側壁間の中間には、爪や指先を引っ掛ける引っ掛け部が形成され、
上記引っ掛け部に爪や指を引っ掛けて引き剥がすときに、上記左右の係合爪及び上記左右の被係合爪の左右一方側から上記蓋部材が上記携帯端末本体から引き剥がされるように、上記左右の係合爪及び上記左右の被係合爪には、係合を解除するタイミングをずらす係合解除手段が設けられ、
上記係合解除手段は、左右一方の上記係合爪及び被係合爪における上記引っ掛け部側の端部の位置を、左右他方の係合爪及び被係合爪における上記引っ掛け部側の端部の位置よりも、該引っ掛け部側に近付けることにより、係合を解除するタイミングをずらすように構成されている
ことを特徴とする携帯端末。
【請求項２】
携帯端末本体の背面側を覆い、該携帯端末本体から工具を用いることなく引き剥がすように開かれる蓋部材を有する携帯端末において、
上記携帯端末本体は、左右一対の側面を有し、
上記蓋部材は、上記携帯端末本体の背面を覆う蓋本体と、上記左右一対の側面の少なくとも背面側をそれぞれ覆う左右一対の側壁とを有し、
上記左右一対の側壁の近傍には、上記左右一対の側面に対して平行に延び、左右内側へ突出した外側鉤部を有する係合爪が形成され、
上記携帯端末本体の左右一対の側面には、左右の上記外側鉤部がそれぞれ係合する左右外側へ突出した内側鉤部を有する左右の被係合爪が形成され、
上記蓋部材における左右一対の側壁間の中間には、爪や指先を引っ掛ける引っ掛け部が形成され、
上記引っ掛け部に爪や指を引っ掛けて引き剥がすときに、上記左右の係合爪及び上記左右の被係合爪の左右一方側から上記蓋部材が上記携帯端末本体から引き剥がされるように、上記左右の係合爪及び上記左右の被係合爪には、係合を解除するタイミングをずらす係合解除手段が設けられ、
上記係合解除手段は、左右一方の上記係合爪の長さを、左右他方の係合爪の長さよりも短くすることにより、係合を解除するタイミングをずらすように構成されている
ことを特徴とする携帯端末。
【請求項３】
携帯端末本体の背面側を覆い、該携帯端末本体から工具を用いることなく引き剥がすように開かれる蓋部材を有する携帯端末において、
上記携帯端末本体は、左右一対の側面を有し、
上記蓋部材は、上記携帯端末本体の背面を覆う蓋本体と、上記左右一対の側面の少なくとも背面側をそれぞれ覆う左右一対の側壁とを有し、
上記左右一対の側壁の近傍には、上記左右一対の側面に対して平行に延び、左右内側へ突出した外側鉤部を有する係合爪が形成され、
上記携帯端末本体の左右一対の側面には、左右の上記外側鉤部がそれぞれ係合する左右外側へ突出した内側鉤部を有する左右の被係合爪が形成され、
上記蓋部材における左右一対の側壁間の中間には、爪や指先を引っ掛ける引っ掛け部が形成され、
上記引っ掛け部に爪や指を引っ掛けて引き剥がすときに、上記左右の係合爪及び上記左右の被係合爪の左右一方側から上記蓋部材が上記携帯端末本体から引き剥がされるように、上記左右の係合爪及び上記左右の被係合爪には、係合を解除するタイミングをずらす係合解除手段が設けられ、
上記係合解除手段は、左右一方の外側鉤部の左右内側への突出長さを、左右他方の外側鉤部の左右内側への突出長さよりも短くすることにより、係合を解除するタイミングをずらすように構成されている
ことを特徴とする携帯端末。
【請求項４】
携帯端末本体の背面側を覆い、該携帯端末本体から工具を用いることなく引き剥がすように開かれる蓋部材を有する携帯端末において、
上記携帯端末本体は、左右一対の側面を有し、
上記蓋部材は、上記携帯端末本体の背面を覆う蓋本体と、上記左右一対の側面の少なくとも背面側をそれぞれ覆う左右一対の側壁とを有し、
上記左右一対の側壁の近傍には、上記左右一対の側面に対して平行に延び、左右内側へ突出した外側鉤部を有する係合爪が形成され、
上記携帯端末本体の左右一対の側面には、左右の上記外側鉤部がそれぞれ係合する左右外側へ突出した内側鉤部を有する左右の被係合爪が形成され、
上記蓋部材における左右一対の側壁間の中間には、爪や指先を引っ掛ける引っ掛け部が形成され、
上記引っ掛け部に爪や指を引っ掛けて引き剥がすときに、上記左右の係合爪及び上記左右の被係合爪の左右一方側から上記蓋部材が上記携帯端末本体から引き剥がされるように、上記左右の係合爪及び上記左右の被係合爪には、係合を解除するタイミングをずらす係合解除手段が設けられ、
上記係合解除手段は、左右一方の係合爪の左右外側に補強リブを設け、左右他方の係合爪の左右外側に補強リブを設けないことにより、撓みやすさに差を設けて係合を解除するタイミングをずらすように構成されている
ことを特徴とする携帯端末。
【請求項５】
携帯端末本体の背面側を覆い、該携帯端末本体から工具を用いることなく引き剥がすように開かれる蓋部材を有する携帯端末において、
上記携帯端末本体は、左右一対の側面を有し、
上記蓋部材は、上記携帯端末本体の背面を覆う蓋本体と、上記左右一対の側面の少なくとも背面側をそれぞれ覆う左右一対の側壁とを有し、
上記左右一対の側壁の近傍には、上記左右一対の側面に対して平行に延び、左右内側へ突出した外側鉤部を有する係合爪が形成され、
上記携帯端末本体の左右一対の側面には、左右の上記外側鉤部がそれぞれ係合する左右外側へ突出した内側鉤部を有する左右の被係合爪が形成され、
上記蓋部材における左右一対の側壁間の中間には、爪や指先を引っ掛ける引っ掛け部が形成され、
上記引っ掛け部に爪や指を引っ掛けて引き剥がすときに、上記左右の係合爪及び上記左右の被係合爪の左右一方側から上記蓋部材が上記携帯端末本体から引き剥がされるように、上記左右の係合爪及び上記左右の被係合爪には、係合を解除するタイミングをずらす係合解除手段が設けられ、
上記係合解除手段は、左右一方の係合爪の上記外側鉤部の上記蓋本体からの高さを左右他方の上記外側鉤部の上記蓋本体からの高さよりも低くすることにより、係合を解除するタイミングをずらすように構成されている
ことを特徴とする携帯端末。
【発明の詳細な説明】
【技術分野】
【０００１】
本発明は、携帯端末本体の背面側を覆い、この携帯端末本体から工具を用いることなく引き剥がすように開かれる蓋部材を有する携帯端末に関するものである。
【背景技術】
【０００２】
従来より、携帯端末は携帯して使用可能なようにバッテリー、記憶媒体等の内部部品を備えている。内部部品は、取り出すことなく繰り返し充電やデータの読み出し等が可能であるため、内部部品を取り出すことは頻繁には行われない。また、内部部品の周辺に埃等が入らないように、また携帯端末を落下させたときに内部部品が飛び出さないように、これらを覆う蓋部材は携帯端末本体に対して比較的堅固に取り付けられている。
【０００３】
このため、内部部品を取り出す場合に蓋部材を取り外しにくいという問題がある。
【０００４】
そこで、例えば、特許文献１では、挿入脚部の鉤形状の先端部を挿入脚部収納部の開口端部に挿入し、固定カバー本体の挿入孔部に設けられたスペーサ部を、挿入脚部収納部の開口端部に挿入し、固定カバー本体を上筐体にネジ止めしている。一方、上筐体に固定カバーをネジ止めしているネジを取り外し、次に、挿入脚部収納部の開口端部に挿入されているスペーサ部を引き抜き、挿入脚部収納部の開口端部から、挿入脚部の鉤形状の先端部を引き抜き、この挿入脚部収納部から挿入脚部を取り外すようにしている。
【先行技術文献】
【特許文献】
【０００５】
【特許文献１】特開２００９−２８８７４３号公報
【発明の概要】
【発明が解決しようとする課題】
【０００６】
しかしながら、上記特許文献１の携帯端末では、ネジを外すための工具が必要となり、工具がない場合には蓋を開けることができないという問題があった。一方、工具が必要でない携帯端末では、蓋部材が開けにくく、中にはユーザ自身が蓋を開けることができない携帯端末もある。
【０００７】
本発明は、かかる点に鑑みてなされたものであり、その目的とするところは、蓋部材が落下時等に外れにくく、取り外す場合には工具を用いることなく容易に外すことができるようにすることにある。
【課題を解決するための手段】
【０００８】
上記の目的を達成するために、この発明では、蓋部材裏面の左右に設けた係合爪の係合強度を左右で異ならせるようにした。
【０００９】
具体的には、本発明は、
携帯端末本体の背面側を覆い、該携帯端末本体から工具を用いることなく引き剥がすように開かれる蓋部材を有する携帯端末を前提にする。
【００１０】
そして、上記携帯端末では、
上記携帯端末本体は、左右一対の側面を有し、
上記蓋部材は、上記携帯端末本体の背面を覆う蓋本体と、上記左右一対の側面の少なくとも背面側をそれぞれ覆う左右一対の側壁とを有し、
上記左右一対の側壁の近傍には、上記左右一対の側面に対して平行に延び、左右内側へ突出した外側鉤部を有する係合爪が形成され、
上記携帯端末本体の左右一対の側面には、左右の上記外側鉤部がそれぞれ係合する左右外側へ突出した内側鉤部を有する左右の被係合爪が形成され、
上記蓋部材における左右一対の側壁間の中間には、爪や指先を引っ掛ける引っ掛け部が形成され、
上記引っ掛け部に爪や指を引っ掛けて引き剥がすときに、上記左右の係合爪及び上記左右の被係合爪の左右一方側から上記蓋部材が上記携帯端末本体から引き剥がされるように、上記左右の係合爪及び上記左右の被係合爪には、係合を解除するタイミングをずらす係合解除手段が設けられている。
【００１１】
上記の構成によると、工具を用いることなく、引っ掛け部に爪や指を引っ掛けて蓋部材を携帯端末本体から引き剥がすときに、係合解除手段により、左右一方の係合爪の方から蓋部材が携帯端末本体から引き剥がされるので、左右同時に係合を解除するのに比べて容易に蓋部材が開かれる。一方、通常使用時には、係合爪及び被係合爪の外側鉤部及び内側鉤部が互いに係合しているので、引っ掛け部に爪や指先を掛けて蓋部材を引き剥がさない限り、携帯端末を落下させるなどの衝撃が加わっても蓋部材が外れることはない。
【００１２】
具体的には、第１の発明において、
上記係合解除手段は、左右一方の上記係合爪及び被係合爪における上記引っ掛け部側の端部の位置を、左右他方の係合爪及び被係合爪における上記引っ掛け部側の端部の位置よりも、該引っ掛け部側に近付けることにより、係合を解除するタイミングをずらすように構成されている。
【００１３】
上記の構成によると、引っ掛け部に爪又は指先を引っ掛けて蓋部材を引き上げると、引っ掛け部側の端部が近い側から係合が解除されるので、同時に左右の係合を解除する場合に比べて加える力が少なくて済む。
【００１４】
次いで、第２の発明において、
上記係合解除手段は、左右一方の上記係合爪の長さを、左右他方の係合爪の長さよりも短くすることにより、係合を解除するタイミングをずらすように構成されている。
【００１５】
上記の構成によると、係合爪の長さの短い方が係合が弱いため、弱い方から係合が解除されるので、同時に左右の係合を解除する場合に比べて加える力が少なくて済む。
【００１６】
また、第３の発明において、
上記係合解除手段は、左右一方の外側鉤部の左右内側への突出長さを、左右他方の外側鉤部の左右内側への突出長さよりも短くすることにより、係合を解除するタイミングをずらすように構成されている。
【００１７】
上記の構成によると、左右内側への突出長さが短い外側鉤部の方が係合爪及び被係合爪の係合が弱いため、左右内側への突出長さが短い方の外側鉤部から係合が解除されるので、同時に左右の係合を解除する場合に比べて加える力が少なくて済む。
【００１８】
さらに第４の発明において、
上記係合解除手段は、左右一方の係合爪の左右外側に補強リブを設け、左右他方の係合爪の左右外側に補強リブを設けないことにより、撓みやすさに差を設けて係合を解除するタイミングをずらすように構成されている。
【００１９】
上記の構成によると、補強リブを設けない方が引っ掛け部に爪又は指先を掛けて引き上げると撓みやすくて係合が解除されやすいので、係合爪の左右外側に補強リブを設けない方から係合が解除されることになり、同時に左右の係合を解除する場合に比べて加える力が少なくて済む。
【００２０】
また、第５の発明において、
上記係合解除手段は、左右一方の係合爪の上記外側鉤部の上記蓋本体からの高さを左右他方の上記外側鉤部の上記蓋本体からの高さよりも低くすることにより、係合を解除するタイミングをずらすように構成されている。
【００２１】
上記の構成によると、引っ掛け部に爪又は指先を掛けて引き上げると、外側鉤部の蓋本体からの高さが高い方から係合が解除されやすいので、同時に左右の係合を解除する場合に比べて加える力が少なくて済む。
【発明の効果】
【００２２】
以上説明したように、本発明によれば、左右の係合爪及び被係合爪で蓋部材を携帯端末本体に係合させる一方、係合解除手段により、引っ掛け部に爪や指を引っ掛けて引き剥がすときに、係合爪及び被係合爪の係合を解除するタイミングをずらして左右一方側から蓋部材が携帯端末本体から引き剥がされるようにしたことにより、蓋部材が落下時等に外れにくく、取り外す場合には工具を用いることなく容易に外すことができる。
【図面の簡単な説明】
【００２３】
【図１】本実施形態の蓋部材を示す正面図である。
【図２】携帯電話機を示す正面側から見た斜視図である。
【図３】携帯電話機を示す背面側から見た斜視図である。
【図４】携帯電話機を示す平面図である。
【図５】携帯電話機の分解斜視図である。
【図６】係合爪及び被係合爪が見えるように携帯電話機を切断して上方から見た断面図である。
【図７】電話機本体を示す背面図である。
【図８】係合爪が見えるようにした蓋部材の斜視図である。
【図９】変形例１の蓋部材を示す図１相当図である。
【図１０】参考例の蓋部材を示す図１相当図である。
【図１１】変形例２にかかる蓋部材の係合爪を示す断面図である。
【図１２】変形例３にかかる蓋部材の係合爪を一部拡大して示す断面図である。
【図１３】変形例３の蓋部材を示す図１相当図である。
【図１４】変形例４にかかる図６相当図である。
【発明を実施するための形態】
【００２４】
以下、本発明の実施形態を図面に基づいて説明する。
【００２５】
図２〜図４は本発明の実施形態にかかる携帯端末としての携帯電話機１を示し、この携帯電話機１は、タッチパネル２が表面側に嵌め込まれた携帯端末本体としての電話機本体３を備えている。図５〜図７にも示すように、電話機本体３は、左右一対の側面３ａ，３ｂ及び上下一対の側面３ｃ，３ｄを有する四角が丸められた略矩形板状であり、背面側の全体が蓋部材４で覆われている。なお、左右一対の側面３ａ，３ｂ及び上下一対の側面３ｃ，３ｄは、さわり心地や見映えのために丸みを帯びた形状となっているが、平面状として電話機本体３を直方体状としてもよい。なお、本実施形態の説明では、携帯電話機１を手に持ったときにタッチパネル２側から見て上下左右を表す。
【００２６】
図１及び図８に示すように、蓋部材４は、電話機本体３の背面を覆う板状の蓋本体４ａと、電話機本体３の左右一対の側面３ａ，３ｂ及び上下一対の側面３ｃ，３ｄの背面側をそれぞれ覆う左右一対の側壁４ｂ，４ｃ及び上下一対の側壁４ｄ，４ｅとを有する。蓋本体４ａは、周縁に向かって丸みを帯び、左右一対の側壁４ｂ，４ｃも丸みを帯びた形状となっている。
【００２７】
そして、左右一対の側壁４ｂ，４ｃの近傍には、左右一対の側面３ａ，３ｂに対して平行に、すなわち上下方向に左右の係合爪５，６がそれぞれ延びている。係合爪５，６は、左右内側へ突出した外側鉤部５ａ，６ａをそれぞれ有する。なお、本実施形態では、左右の係合爪５，６は、それぞれ上下に二分割されているが、二分割されていなくてもよい。
【００２８】
外側鉤部５ａ，６ａは、係合爪５，６の上端側及び下端側に向かうに連れて左右方向に短くなるように、背面から見て傾斜状のテーパ部５ｂ，６ｂが上端側及び下端側にそれぞれ設けられている。
【００２９】
一方、図７に示すように、電話機本体３の左右一対の側面３ａ，３ｂには、左右の係合爪５，６に対応して左右の被係合爪７，８が延びている。なお、左右の被係合爪７，８も、それぞれ上下に二分割されているが、二分割されていなくてもよい。図６に示すように、この被係合爪７，８は、左右一対の側面３ａ，３ｂにそれぞれ凹陥され、左右の外側鉤部５ａ，６ａがそれぞれ係合する内側鉤部７ａ，８ａ左右外側へ突出している。
【００３０】
また、図８に示すように、蓋部材４における左右一対の側壁４ｂ，４ｃ間の中間、具体的には、上側側壁４ｄの左右中間には、爪や指先を引っ掛ける引っ掛け部９が切り欠かれている。
【００３１】
そして、本実施形態の携帯電話機１には、引っ掛け部９に爪や指を引っ掛けて引き剥がすときに、左右の係合爪５，６及び左右の被係合爪７，８の左右一方側から蓋部材４が電話機本体３から引き剥がされるように、左右の係合爪５，６及び左右の被係合爪７，８には、係合を解除するタイミングをずらす係合解除手段１０が設けられている。
【００３２】
係合解除手段１０の構成としては種々のものが考えられるが、本実施形態の係合解除手段１０は、図１に示すように、右側の係合爪６における引っ掛け部９側の端部、すなわち上端部の位置を、左側の係合爪５の上端部の位置よりも引っ掛け部９側に近付けることにより、係合を解除するタイミングをずらすように構成されている。
【００３３】
−蓋部材の使用方法−
次に、本実施形態にかかる蓋部材の使用方法について説明する。
【００３４】
電話機本体３から蓋部材４を取り外すには、例えば、携帯電話機１を左手で持ち、右手の爪又は指先を引っ掛け部９に引っ掛け、手前に引き寄せる。
【００３５】
すると、引っ掛け部９側の上端がより上方にある右側の係合爪６から係合が解除されるので、同時に左右の係合を解除する場合に比べて加える力が少なくて済む。このため、工具を用いることなく、引っ掛け部９に爪や指を引っ掛けて蓋部材４を電話機本体３から引き剥がすことができる。
【００３６】
一方、係合爪５，６及び被係合爪７，８の外側鉤部５ａ，６ａ及び内側鉤部７ａ，８ａが互いに係合しているので、引っ掛け部９に爪や指先を掛けて蓋部材４を引き剥がさない限り、携帯電話機１を落下させるなどの衝撃が加わっても蓋部材４が外れることはない。
【００３７】
このように、携帯電話機１の使用状態では、蓋部材４が電話機本体３の各側面３ａ〜３ｅを覆っているので、見映えがよく蓋部材４が外れにくいが、蓋部材４をスライドさせて開く方式を採用できず、蓋部材４を引き剥がすしかないが、係合解除手段１０により、蓋部材４を容易に開くことができる。
【００３８】
また、引っ掛け部９を蓋部材４の上側側壁４ｄの左右中間位置に形成しているので、左右中間に設けない場合に比べて蓋部材４の見映えがよい。また、引っ掛け部９に爪や指を引っ掛けて引き剥がすときに、蓋部材４が左右方向に撓まないので、係合解除手段１０によって左右の係合爪５，６及び被係合爪７，８で係合を解除するタイミングをずらしやすい。
【００３９】
したがって、本実施形態にかかる携帯電話機１によると、左右の係合爪５，６及び被係合爪７，８で蓋部材４を電話機本体３に係合させる一方、係合解除手段１０により、引っ掛け部９に爪や指を引っ掛けて引き剥がすときに、左右の係合爪５，６及び被係合爪７，８の係合を解除するタイミングをずらして左右一方側から蓋部材４が電話機本体３から引き剥がされるようにしたことにより、蓋部材４が落下時等に外れにくく、取り外す場合には工具を用いることなく容易に外すことができる。
【００４０】
−変形例１−
図９は本発明の実施形態の変形例１を示し、係合解除手段１０の構成が異なる点で上記実施形態と異なる。なお、以下の各変形例では、図１〜図８と同じ部分については同じ符号を付してその詳細な説明は省略する。
【００４１】
本変形例では、係合解除手段１０は、右側の係合爪６の長さｙ１を、左側の係合爪５の長さｘ１よりも短くすることにより（ｙ１＜ｘ１）、係合を解除するタイミングをずらすように構成されている。
【００４２】
このように構成することで、長さｙ１の短い右側の係合爪６の方が左側の係合爪５よりも係合が弱くなり、引っ掛け部９に爪又は指先を掛けて引き上げると、右側の係合爪６から係合が解除されるので、同時に左右の係合を解除する場合に比べて加える力が少なくて済む。よって、工具を用いることなく容易に蓋部材４を取り外すことができる。
【００４３】
−参考例−
図１０は本発明の実施形態の参考例を示し、この参考例の係合解除手段１０は、左側の外側鉤部５ａのテーパ部５ｂの上下方向の長さＡを、全ての右側の外側鉤部６ａのテーパ部６ｂの長さＢよりも長くすることにより（Ａ＞Ｂ）、係合を解除するタイミングをずらすように構成されている。
【００４４】
すなわち、テーパ部５ｂ，６ｂの部分はテーパ部のない部分に比べて係合爪５，６及び被係合爪７，８の係合が弱いことから、長い左側のテーパ部５ｂの方が右側のテーパ部６ｂよりも係合が弱くなる。このため、引っ掛け部９に爪又は指先を掛けて引き上げると、左側の係合爪５から係合が解除されて蓋部材４が徐々に開くので、同時に左右の係合を解除する場合に比べて加える力が少なくて済む。よって、工具を用いることなく容易に蓋部材４を取り外すことができる。
【００４５】
なお、全ての左側のテーパ部５ｂの長さをＡに、右側のテーパ部６ｂの長さをＢとして長さに差を設けているが、少なくとも一番上のテーパ部５ｂ，６ｂの長さに差を設ければよい。
【００４６】
−変形例２−
図１１は本発明の実施形態の変形例２を示し、この変形例の係合解除手段１０は、左側の外側鉤部５ａの左右内側への突出長さδを、右側の外側鉤部６ａの左右内側への突出長さγよりも短くすることにより（δ＜γ）、係合を解除するタイミングをずらすように構成されている。
【００４７】
すなわち、左側の外側鉤部５ａの方が突出長さδが短く、係合爪５及び被係合爪７の係合が右側の係合爪６及び被係合爪８の係合に比べて弱いため、引っ掛け部９に爪又は指先を掛けて引き上げると、左側の係合爪５及び被係合爪７の係合が先に解除される。このため、同時に左右の係合を解除する場合に比べて加える力が少なくて済む。よって、工具を用いることなく容易に蓋部材４を取り外すことができる。
【００４８】
−変形例３−
図１２及び図１３は本発明の実施形態の変形例３を示し、この変形例では、左側の係合爪５の左右外側に複数の補強リブ２０が所定の距離をあけて設けられている。つまり、本変形例の係合解除手段１０は、左側の係合爪５に補強リブ２０を設ける一方、右側の係合爪６に補強リブ２０を設けないことにより、左右の係合爪５，６で撓みやすさに差を設けて係合を解除するタイミングをずらすように構成されている。
【００４９】
このようにすることで、引っ掛け部９に爪又は指先を掛けて引き上げると、補強リブ２０を設けない右側の係合爪６の方が撓みやすいので、右側から先に係合が解除される。このため、同時に左右の係合を解除する場合に比べて加える力が少なくて済む。よって、工具を用いることなく容易に蓋部材４を取り外すことができる。
【００５０】
−変形例４−
図１４は本発明の実施形態の変形例４を示し、この変形例の係合解除手段１０は、左側の外側鉤部５ａの蓋本体４ａからの高さβを右側の係合爪６の外側鉤部６ａの蓋本体４ａからの高さαをよりも低くすることにより、係合を解除するタイミングをずらすように構成されている。
【００５１】
すなわち、引っ掛け部９に爪又は指先を掛けて引き上げると、蓋本体４ａからの高さが高い外側鉤部６ａの方が先に係合爪６が外側に撓んで係合が解除されるので、同時に左右の係合を解除する場合に比べて加える力が少なくて済む。よって、工具を用いることなく容易に蓋部材４を取り外すことができる。
【００５２】
（その他の実施形態）
本発明は、上記実施形態について、以下のような構成としてもよい。
【００５３】
すなわち、上記実施形態では、左右一方の係合爪５，６から係合が解除されるように説明しているが、左右他方側から係合が解除されるように、係合解除手段１０の構成を左右反対としてもよい。
【００５４】
上記実施形態では、携帯電話機１は、１つの電話機本体３のみを有するストレートタイプとしたが、上側筐体が下側筐体に対してスライド移動するスライド式携帯電話機、上側筐体が下側筐体に対して折り畳まれる折り畳み式携帯電話機でもよく、その場合には、バッテリーが装着される下側筐体側を本発明の携帯端末本体と見なせば、本発明を適用することができる。
【００５５】
上記実施形態では、携帯端末は、携帯電話機としたが、ＰＨＳ（Personal Handy-phone System ）、ＰＤＡ(Personal Digital Assistant)、パソコン、モバイルツール、電子辞書、電卓、ゲーム機等であってもよい。
【００５６】
なお、以上の実施形態は、本質的に好ましい例示であって、本発明、その適用物や用途の範囲を制限することを意図するものではない。
【符号の説明】
【００５７】
１      携帯電話機（携帯端末）
２      タッチパネル
３      電話機本体（携帯端末本体）
３ａ，３ｂ    左右一対の側面
３ｃ，３ｄ    上下一対の側面
４      蓋部材
４ａ    蓋本体
４ｂ，４ｃ    左右一対の側壁
５，６  係合爪
５ａ，６ａ    外側鉤部
５ｂ，６ｂ    テーパ部
７，８  被係合爪
７ａ，８ａ    内側鉤部
９      引っ掛け部
１０      係合解除手段
２０      補強リブ
【図１】
0005135405.tif 000002
【図２】
0005135405.tif 000003
【図３】
0005135405.tif 000004
【図４】
0005135405.tif 000005
【図５】
0005135405.tif 000006
【図６】
0005135405.tif 000007
【図７】
0005135405.tif 000008
【図８】
0005135405.tif 000009
【図９】
0005135405.tif 000010
【図１０】
0005135405.tif 000011
【図１１】
0005135405.tif 000012
【図１２】
0005135405.tif 000013
【図１３】
0005135405.tif 000014
【図１４】
0005135405.tif 000015